(57)【要約】【課題】被測定者が一人で簡単にファンクショナルリーチ測定を行い得る測定器を提供することにある。【解決手段】被測定者Ｍが所定位置に立った状態で腕および手を水平に伸ばして体のバランスを保ちながら指先を前方に移動させる際の指先の移動量を測定するファンクショナルリーチ測定器において、前記被測定者の側方で鉛直方向およびその被測定者の前方に延在するように立設される測定ボード２と、前記測定ボードに水平移動可能に支持されてその測定ボードから水平に突出するスライド部材３と、前記スライド部材の水平移動距離を測定するために前記測定ボード上に設けられた目盛り４と、を具えることを特徴とするファンクショナルリーチ測定器である。【選択図】図５
0003127370.tif 000002
【実用新案登録請求の範囲】
【請求項１】
被測定者が所定位置に立った状態で腕および手を水平に伸ばして体のバランスを保ちながら指先を前方に移動させる際の指先の移動量を測定するファンクショナルリーチ測定器において、
前記被測定者の側方で鉛直方向およびその被測定者の前方に延在するように立設される測定ボードと、
前記測定ボードに水平移動可能に支持されてその測定ボードから水平に突出するスライド部材と、
前記スライド部材の水平移動距離を測定するために前記測定ボード上に設けられた目盛りと、
を具えることを特徴とするファンクショナルリーチ測定器。
【請求項２】
前記スライド部材は複数設けられて、前記測定ボードの複数の高さにそれぞれ水平移動可能に支持され、
前記目盛りは、前記複数のスライド部材のそれぞれの水平移動距離を測定するために前記測定ボード上に設けられていることを特徴とする、請求項１記載のファンクショナルリーチ測定器。
【請求項３】
前記測定ボードは、水平方向に延在する長孔を有し、
前記スライド部材は、その長孔に沿って摺動可能にその長孔に嵌着されていることを特徴とする、請求項１または２記載のファンクショナルリーチ測定器。
【請求項４】
前記測定ボードから前記被測定者の前方に水平に突出する倒れ込み防止部材をさらに具えることを特徴とする、請求項１から３までの何れか記載のファンクショナルリーチ測定器。
【考案の詳細な説明】
【技術分野】
【０００１】
本考案は、被測定者が所定位置に立った状態で腕および手を水平に伸ばして体のバランスを保ちながら指先を前方に移動させる際の指先の移動量を測定するファンクショナルリーチ測定器に関するものである。
【背景技術】
【０００２】
近年では高齢化が進み、高齢者の体の柔軟性やバランスを改善するトレーニングが必要とされている。このようなトレーニングの成果を測定する器具の一つとしては従来、例えば被測定者が所定位置に腰を下ろして両脚を前方に伸ばした状態で腕および手を水平に伸ばして指先を前方に移動させる際の指先の移動量を測定する座位体前屈測定器が知られている（特許文献１参照）。
【特許文献１】実開平０３−０８０７０９号公報
【考案の開示】
【考案が解決しようとする課題】
【０００３】
しかしながら、被測定者が所定位置に立った状態で腕および手を水平に伸ばして体のバランスを保ちながら指先を前方に移動させる際の指先の移動量を測定することで動的なバランス能力を測定するファンクショナルリーチ測定のための器具は知られておらず、このため従来は壁面等を利用して、被測定者がその壁面等の前に横向きに立った状態で腕および手を水平に伸ばして体のバランスを保ちながら指先を前方に移動させ、その際の指先の移動量を被測定者とは別の測定者がメジャー等で測定しており、被測定者が一人で簡単にファンクショナルリーチ測定を行うことができないという問題があった。
【０００４】
それゆえ本考案は、被測定者が一人で簡単にファンクショナルリーチ測定を行うことができる測定器を提供することを目的としている。
【課題を解決するための手段】
【０００５】
本考案は上記課題を有利に解決するためになされたもので、本考案のファンクショナルリーチ測定器は、被測定者が所定位置に立った状態で腕および手を水平に伸ばして体のバランスを保ちながら指先を前方に移動させる際の指先の移動量を測定するファンクショナルリーチ測定器において、前記被測定者の側方で鉛直方向およびその被測定者の前方に延在するように立設される測定ボードと、前記測定ボードに水平移動可能に支持されてその測定ボードから水平に突出するスライド部材と、前記スライド部材の水平移動距離を測定するために前記測定ボード上に設けられた目盛りと、を具えることを特徴とするものである。
【考案の効果】
【０００６】
かかる本考案のファンクショナルリーチ測定器にあっては、被測定者が、測定ボードの前に横向きに立った状態で腕および手を水平に伸ばして、所定の原位置に戻したスライド部材に指先が触るようにその立ち位置を調節し、その位置に立った状態で腕および手を水平に伸ばして体のバランスを保ちながら指先を前方に移動させると、被測定者の側方で鉛直方向およびその被測定者の前方に延在する測定ボードに支持されたスライド部材が指先で押されて上記原位置から水平移動し、バランスを保てる限度までスライド部材を押した後に被測定者が体を元に戻すと、スライド部材がその移動先に留まって、測定ボード上の目盛りがそのスライド部材ひいては指先の移動量を示す。
【０００７】
従って、本考案のファンクショナルリーチ測定器によれば、被測定者が一人で簡単にファンクショナルリーチ測定を行うことができる。
【０００８】
なお、本考案のファンクショナルリーチ測定器においては、前記スライド部材は複数設けられて、前記測定ボードの複数の高さにそれぞれ水平移動可能に支持され、前記目盛りは、前記複数のスライド部材のそれぞれの水平移動距離を測定するために前記測定ボード上に設けられていても良く、このようにすれば、被測定者が、複数の高さにそれぞれ水平移動可能に支持された複数のスライド部材のうち自分の肩の高さのスライド部材を選択して用いることができるので、被測定者が、平均的な背丈でなく背の高い人や背の低い人あるいは子供であっても、支障なくファンクショナルリーチ測定を行うことができる。
【０００９】
また、本考案のファンクショナルリーチ測定器においては、前記測定ボードは、水平方向に延在する長孔を有し、前記スライド部材は、その長孔に沿って摺動可能にその長孔に嵌着されていても良く、このようにすれば、簡易な構成でスライド部材を測定ボードに水平移動可能に支持することができる。
【００１０】
さらに、本考案のファンクショナルリーチ測定器においては、前記測定ボードから前記被測定者の前方に水平に突出する倒れ込み防止部材をさらに具えていても良く、このようにすれば、高齢者等の体の柔軟性の低い人が測定中にバランスを崩しても、前方に転倒するのを防止し得て、安全にファンクショナルリーチ測定を行うことができる。
【考案を実施するための最良の形態】
【００１１】
以下、本考案の実施の形態を実施例によって、図面に基づき詳細に説明する。ここに、図１は、本考案のファンクショナルリーチ測定器の一実施例を示す正面図、図２は、その実施例のファンクショナルリーチ測定器を示す側面図、図３は、上記実施例のファンクショナルリーチ測定器を示す平面図、図４は、上記実施例のファンクショナルリーチ測定器のスライド部材の支持構造を拡大して示す側面方向から見た断面図、そして図５は、上記実施例のファンクショナルリーチ測定器の使用方法を示す斜視図である。
【００１２】
この実施例のファンクショナルリーチ測定器は、図５に示す如く測定の際に被測定者Ｍの側方で鉛直方向およびその被測定者Ｍの前方に延在するように、ここでは地中に埋設された図示しないコンクリート製基礎を介して地面Ｇに固定された二本の支柱１で支持されて地面Ｇに立設される測定ボード２と、その測定ボード２にそれぞれ水平移動可能に支持されてその測定ボード２から水平に突出するここでは五つのスライド部材そしてのスライドコマ３と、それらのスライドコマ３の水平移動距離を測定するために測定ボード２上に上下方向に延在するように刻設された多数の目盛り４とを具えている。
【００１３】
各々パイプからなる二本の支柱１の頂部には、雨水等が支柱１内に浸入して支柱１が腐食しないようにキャップ１ａが固着されている。また測定ボード２は、図４に拡大して示すように、各々水平方向に延在するここでは五本の長孔２ａを有している。そして五つのスライドコマ３はそれぞれ、測定ボード２のそれらの長孔２ａに沿って摺動可能にそれらの長孔２ａに嵌合するが長孔２ａ内での回転は規制された横長の嵌合部３ａを後部に持ち、それら嵌合部３ａには、測定ボード２の裏側（図４では左側）から留め板３ｂがネジ３ｃで固定され、これにより五つのスライドコマ３はそれぞれ、測定ボード２に対して外れ止めされている。なお、測定ボード２には、スライドコマ３と目盛り４との他、当該測定器の使用方法を示した案内パネル５も設けられている。
【００１４】
さらに、二本の支柱１のうちの一本（図１，３では左側の支柱１）には、倒れ込み防止部材としてのストッパパイプ６が設けられて、このストッパパイプ６は、測定ボード２に直角になるように上記一本の支柱１に連結固定されて水平に延在する水平部６ａと、その水平部６ａから一旦斜めに下降した後真っ直ぐに下降して、地中に埋設された図示しないコンクリート製基礎を介して下端部を地面に固定された支持部６ｂとを有し、その水平部６ａには、倒れこんで体が当たったときに痛くないように軟質樹脂製のカバー７が設けられている。
【００１５】
かかる実施例のファンクショナルリーチ測定器にあっては、図５に示すように、被測定者Ｍが、測定ボード２の前に横向きに立った状態で腕および手を水平に伸ばして、所定の原位置（図１，３では長孔２ａの左端）に戻したスライドコマ３に指先が触るようにその立ち位置を調節し、その位置に立った状態で腕および手を水平に伸ばして体のバランスを保ちながら指先を前方に移動させると、被測定者Ｍの側方で鉛直方向およびその被測定者Ｍの前方に延在する測定ボード２に支持されたスライドコマ３が指先で押されて上記原位置から水平移動し、バランスを保てる限度までスライドコマ３を押した後に被測定者Ｍが体を元に戻すと、スライドコマ３がその移動先に留まって、測定ボード２上の目盛り４がそのスライドコマ３ひいては被測定者Ｍの指先の移動量を示す。
【００１６】
従って、この実施例のファンクショナルリーチ測定器によれば、被測定者Ｍが一人で簡単にファンクショナルリーチ測定を行うことができる。
【００１７】
また、この実施例のファンクショナルリーチ測定器によれば、スライドコマ３は五個設けられて、測定ボード２の五種類の高さにそれぞれ水平移動可能に支持され、目盛り４はそれらのスライドコマ３のそれぞれの水平移動距離を測定するように、測定ボード２上に各々上下方向に延在して多数設けられているので、被測定者Ｍが、五種類の高さにそれぞれ水平移動可能に支持された五つスライドコマ３のうち自分の肩の高さのスライドコマ３を選択して用いることができるので、被測定者Ｍが、平均的な背丈でなく背の高い人や背の低い人あるいは子供であっても、支障なくファンクショナルリーチ測定を行うことができる。
【００１８】
また、この実施例のファンクショナルリーチ測定器によれば、測定ボード２は、水平方向に延在する長孔２ａを有し、スライドコマ３は、その長孔２ａに沿って摺動可能にその長孔２ａに嵌着されているので、簡易な構成でスライドコマ３を測定ボード２に水平移動可能に支持することができる。
【００１９】
さらに、この実施例のファンクショナルリーチ測定器によれば、測定ボード２から被測定者Ｍの前方に水平に突出する水平部６ａを持つストッパパイプ６をさらに具え、その水平部６ａには軟質樹脂製のカバー７が設けられているので、高齢者等の体の柔軟性の低い人が測定中にバランスを崩しても、前方に転倒するのを防止し得て、安全にファンクショナルリーチ測定を行うことができる。
【００２０】
以上、図示例に基づき説明したが、本考案は上述の例に限定されるものでなく、実用新案登録請求の範囲の記載範囲内で適宜変更することができるものであり、例えば、スライドコマ３の個数は適宜増減しても良く、またスライドコマ３は、測定ボード２の表面に取り付けられたレールに沿って摺動するものでも良い。
【産業上の利用可能性】
【００２１】
かくして本考案のファンクショナルリーチ測定器によれば、被測定者が一人で簡単にファンクショナルリーチ測定を行うことができる。
【図面の簡単な説明】
【００２２】
【図１】本考案のファンクショナルリーチ測定器の一実施例を示す正面図である。
【図２】上記実施例のファンクショナルリーチ測定器を示す側面図である。
【図３】上記実施例のファンクショナルリーチ測定器を示す平面である。
【図４】上記実施例のファンクショナルリーチ測定器のスライド部材の支持構造を拡大して示す側面方向から見た断面図である。
【図５】上記実施例のファンクショナルリーチ測定器の使用方法を示す斜視図である。
【符号の説明】
【００２３】
１  支柱
１ａ  キャップ
２  測定ボード
２ａ  長孔
３  スライドコマ
３ａ  嵌合部
３ｂ  留め板
３ｃ  ネジ
４  目盛り
５  案内パネル
６  ストッパパイプ
６ａ  水平部
６ｂ  支持部
７  カバー
Ｇ  地面
Ｍ  被測定者
【図１】
0003127370.tif 000003
【図２】
0003127370.tif 000004
【図３】
0003127370.tif 000005
【図４】
0003127370.tif 000006
【図５】
0003127370.tif 000007